(57)【要約】【課題】壁面の厚みのバラツキを吸収できる構造でありながら、外観に優れ施工が容易な枠材の取付構造を提供する。【解決手段】壁面４に形成され、開閉建具２が設けられる開口部４０内周に固定部材６により取付けられる枠材１の取付構造であって、前記枠材は、前記開閉建具が取付けられる前記開口部の一方の角部（４ａ）を覆うように形成された第１係止部１０ａと、前記壁面に固着するための前記固定部材が挿通され、前記戸当たり部材１２の位置決めとなる凹部１０ｂとを備えた第１分割枠材１０と、前記開口部の他方の角部（４ｂ）を覆うように形成された第２係止部１１ａを備えた第２分割枠材１１と、前記第１分割枠材の前記凹部と嵌合する凸部１２ａを備えた戸当たり部材とからなり、前記壁面全体の厚みに応じて調整代ｄを持たせた状態で前記第１分割枠材と前記第２分割枠材とを夫々固着した後、前記戸当たり部材の前記凸部を前記第１分割枠材の前記凹部に嵌合させ取付けられることを特徴とする。【選択図】図１
2010048045.tif 000002
【特許請求の範囲】
【請求項１】
壁面に形成され、開閉建具が設けられる開口部内周に固定部材により取付けられる枠材の取付構造であって、
前記枠材は、前記開閉建具が取付けられる前記開口部の一方の角部を覆うように形成された第１係止部と、前記壁面に固着するための前記固定部材が挿通され、前記戸当たり部材の位置決めとなる凹部とを備えた第１分割枠材と、前記開口部の他方の角部を覆うように形成された第２係止部を備えた第２分割枠材と、前記第１分割枠材の前記凹部と嵌合する凸部を備えた戸当たり部材とからなり、
前記壁面全体の厚みに応じて調整代を持たせた状態で前記第１分割枠材と前記第２分割枠材とを夫々固着した後、前記戸当たり部材の前記凸部を前記第１分割枠材の前記凹部に嵌合させ取付けられることを特徴とする枠材の取付構造。
【請求項２】
請求項１において、
前記第２分割枠材には、前記壁面に固着するための前記固定部材が挿通される段部が形成されていることを特徴とする枠材の取付構造。
【発明の詳細な説明】
【技術分野】
【０００１】
本発明は、住宅などの内壁に形成され、ドア、引き戸、折れ戸などの開閉建具が設けられる開口部内周に固定部材により取付けられる枠材の取付構造に関する。
【背景技術】
【０００２】
従来より、上述のような枠材の取付構造としては、壁面の厚みのバラツキに対応できるよう分割して構成された枠材を用いた取付構造が知られている。
例えば下記特許文献１及び下記特許文献２には、分割して構成されたドア用枠材の取付構造が開示されている。
下記特許文献１には、第１分割片と、第２分割片と、戸当たり部材とで構成される枠材の取付構造が開示されている。
また下記特許文献２には、ドアフレーム支柱前部と、ドアフレーム支柱後部と、戸当たり部材の機能を備えた断面Ｔ字形状のドアフレーム支柱中間部とで構成される枠材の取付構造が開示されている。
【特許文献１】特開２００３−２９３６５５号公報
【特許文献２】特開２００８−５１００９１号公報
【発明の開示】
【発明が解決しようとする課題】
【０００３】
上記特許文献１に記載の枠材の取付構造は、第１分割片と第２分割片との重なり合った部分の長さを調整することによって、第１の係止部と第２の係止部との間隔を調整し、壁面の厚みのバラツキを吸収したものであるが、夫々の分割片が重なり合う部分を要するので、壁面の厚み方向への調整代が小さいという問題があった。
また戸当たり部材は、ドアなどの開閉建具を開け閉めするときに、ドアの動きを制御するものであるため、ドアの厚みなどを考慮して配置される必要があるが、上記特許文献２に記載の枠材の取付構造は、壁面の厚み方向への調整代を確保することはできるが、戸当たり部材の機能を備えたドアフレーム支柱中間部が取付けられる位置決めがしにくく、施工し易いものとはいえない。
更に上記特許文献２に記載の枠材の取付構造は、ネジなどの固定部材の挿通した後、ドアフレーム支柱中間部を取付けると、ネジ頭が邪魔して浮きが生じてしまう可能性がある。
そこで、壁面の厚みのバラツキに左右されず、外観上すっきりしたものでありながら、精度よく容易に戸当たり部材を設けられる構造が求められている。
【０００４】
本発明は、上記実情に鑑みなされたものであり、壁面の厚みのバラツキを吸収できる構造でありながら、外観に優れ施工が容易な枠材の取付構造を提供する。
【課題を解決するための手段】
【０００５】
前記目的を達成するために、本発明に係る枠材の取付構造は、壁面に形成され、開閉建具が設けられる開口部内周に固定部材により取付けられる枠材の取付構造であって、
前記枠材は、前記開閉建具が取付けられる前記開口部の一方の角部を覆うように形成された第１係止部と、前記壁面に固着するための前記固定部材が挿通され、前記戸当たり部材の位置決めとなる凹部とを備えた第１分割枠材と、前記開口部の他方の角部を覆うように形成された第２係止部を備えた第２分割枠材と、前記第１分割枠材の前記凹部と嵌合する凸部を備えた戸当たり部材とからなり、前記壁面全体の厚みに応じて調整代を持たせた状態で前記第１分割枠材と前記第２分割枠材とを固着した後、前記戸当たり部材の前記凸部を前記第１分割枠材の前記凹部に嵌合させ取付けられることを特徴とする。
本発明において、前記第２分割枠材には、前記壁面に固着するための前記固定部材が挿通される段部が形成されているものとしてもよい。
【発明の効果】
【０００６】
本発明に係る枠材の取付構造では、壁面の厚みに応じて調整代を持たせた状態で前記第１分割枠材と前記第２分割枠材とを固着する構造としているので、壁面の厚みのバラツキを吸収できる。また、第１分割枠材には戸当たり部材の位置決めとなる凹部が形成されており、該凹部に戸当たり部材の凸部を嵌合させれば、精度よく容易に戸当たり部材を構成することができる。
また戸当たり部材を取付けることにより、凹部、段部が覆い隠され、固定部材の頭部及び調整代が外部から見えないので、見栄えのよいすっきりした外観となる。
更に第１分割枠材には、壁面に固着するための固定部材が挿通される凹部が形成されているため、固定部材の頭部が凹部内に納まるものとすれば、固定部材の頭部が第１分割枠材から突出することがなく、固定部材の頭部が邪魔して戸当たり部材に浮きが生じることがない。
そして簡易な構造を採用しているので、部品点数が増加し施工工数が増えることがなく、コスト高になる懸念もない。
【発明を実施するための最良の形態】
【０００７】
以下に本発明の最良の実施の形態について、図面に基づいて説明する。
図１は、本発明に係る枠材の取付構造を模式的に示す概略横断面図であり、図２におけるＹ−Ｙ線矢視断面図、図２は同枠材の取付構造を模式的に示す正面図、図３は同枠材の取付構造を示す部分斜視図である。図１には、図１のＸ部における拡大断面図も示している。
図はドア用の枠材の取付構造として採用された例を示しており、ここで指す前後方向は、使用者がドアと対面した状態における手前側を表、奥側を裏として説明する。
【０００８】
本発明は、図２に示すように壁面４に形成され、ドア２が設けられる開口部４０の内周に固定部材６により取付けられる枠材１の取付構造であって、ここでは開口部４０の長手方向内周に取付けられる縦枠の枠材１の取付構造について説明するが、短手方向内周に取付けられる横枠も同様の構成とすることができる。
部屋或いは屋内への出入口として形成された開口部４０の内周には、上下の横枠と左右の縦枠とを矩形状に枠組みされた枠材１が取付けられている。
縦枠の枠材１の一方側及びドア２の一方端部には、丁番７が取付られており、これによりドア２の取っ手３を握って手前に引くとドア２が開き、これとは逆に奥側に押すとドア２が閉じた状態となる（図１の矢印参照）。図１ではドア２を閉じた状態を示している。
【０００９】
図１に示すように枠材１は、分割構成された第１分割枠材１０と第２分割枠材１１と戸当たり部材１２とからなる。枠材１を構成する上述の構成部材は、無垢の木材や木質集成材、木質繊維板、或いは合成樹脂材等から形成されたものとすることができる。
第１分割枠材１０は、ドア２が取付けられる開口部４０の表側角部４ａを覆うように形成された第１係止部１０ａと、壁面４に固着するための固定部材６が挿通され、戸当たり部材１２の位置決めとなる凹部１０ｂとを備えている。
凹部１０ｂは、ドア２の厚みに応じて戸当たり部材１２の位置決めをなし得る位置に形成され、後記する戸当たり部材１２の凸部１１ｂと嵌合するよう形成される。
第２分割枠材１１は、ドア２が取付けられない開口部４０の裏側角部４ｂを覆うように形成された第２係止部１１ａと、壁面４に固着するための固定部材６が挿通される段部１１ｂとを備えている。このように第２分割枠材１１に段部１１ｂが形成されているため、固定部材６を挿通させ易く、固定部材６を後記する戸当たり部材１２で隠しつつ、調整代ｄを大きくとることができる。
第１分割枠材１０及び第２分割枠材１１はは、表側角部４ａ或いは裏側角部４ｂを覆うように形成されるため、平面視して断面が略Ｌ字型に構成される。
【００１０】
戸当たり部材１２は、ドア２を閉じたときにドア２の縁部が当たって止まるように設けられ、第１分割枠材１０の凹部１０ｂと嵌合するよう形成された凸部１２ａを備えている。図に示す戸当たり部材１２は裏面角部４ｂに向かって傾斜するテーパー部１２ｂを備えたものとなっているが、この形状に限定されず、断面矩形の戸当たり部材１２であってもよい。
戸当たり部材１２は取付けられた際に凹部１０ｂ、段部１１ｂ、後記する調整代ｄが覆い隠れるよう構成される。
【００１１】
次に、図３を参照しながら、枠材１の施工要領について説明する。
柱５を挟んで表側及び裏側に壁面４が取付けられた状態において、まず第１分割枠材１０を固定部材６により取付ける。第１係止部１０ａによって表側角部４ａを覆うように第１分割枠材１０を配置し、凹部１０ｂに固定部材６を挿通させれば、壁面４の表側の所定位置に精度よく第１分割枠材１０を取付けることができる。
続いて、壁面４の裏側に第２分割枠材１１を固定部材６により取付ける。第２係止部１１ａによって裏側角部４ｂを覆うように第２分割枠材１１を配置し、段部１１ｂに固定部材６を挿通させれば、壁面４の裏側の所定位置に精度よく第２分割枠材１１を取付けることができる。
【００１２】
このとき、第１分割枠材１０と第２分割枠材１１とは、調整代ｄ（図１、Ｘ部拡大断面図参照）を持たせた状態で夫々別個に設けられるため、壁面全体の厚みにバラツキがあっても吸収することができる。固定部材６としては、釘、木ネジ等を用いることができる。
このように第１分割枠材１０及び第２分割枠材１１を固着した後、戸当たり部材１２の凸部１２ｂを第１分割枠材１０の凹部１０ｂに嵌合するように取付ける。このとき、戸当たり部材１２が第１分割枠材１０及び第２分割枠材１１の上面と接する部分には、接着剤を塗布して接着固定するようにしてもよい。
【００１３】
これによれば、凹部１０ｂと凸部１２ｂの嵌合により、戸当たり部材１２を強固に取付けることができるとともに、戸当たり部材１２を配する位置の位置決めが容易になされ、精度よく施工することができる。また戸当たり部材１２を取付けることにより、凹部１０ｂ、段部１１ｂが覆い隠されるので、固定部材６の頭部及び調整代ｄが外部から見えないので、見栄えのよいすっきりした外観となる。
また第１分割枠材１０には凹部１０ｂ、第２分割枠材１１には段部１１ｂが形成されているため、固定部材６の頭部が凹部１０ｂ或いは段部１１ｂ内に納まり、突出することがないものとすれば、固定部材６の頭部が邪魔して戸当たり部材１２に浮きが生じることがない。
【００１４】
尚、ここではドア２用の開口部４０に取付けられる枠材１の取付構造について述べたが、これに限定されず、引き戸、折れ戸などの枠材の取付構造にも適用することができる。またドア２の開き方向、形状、構成は図例のものに限定されるものではなく、第１分割枠材１０及び第２分割枠材１１と壁面４（或いは柱５）の間にクッション材を介在させたものにも適用可能である。
【図面の簡単な説明】
【００１５】
【図１】本発明に係る枠材の取付構造を模式的に示す概略横断面図であり、図２におけるＹ−Ｙ線矢視断面図である。
【図２】同枠材の取付構造を模式的に示す正面図である。
【図３】同枠材の取付構造を示す部分斜視図である。
【符号の説明】
【００１６】
１      枠材
１０      第１分割枠材
１０ａ      第１係止部
１０ｂ      凹部
１１      第２分割枠材
１１ａ      第２係止部
１１ｂ      段部
１２      戸当たり部材
１２ａ      凸部
２      ドア（開閉建具）
４      壁面
４ａ      表側角部
４ｂ      裏側角部
４０      開口部
６      固定部材
ｄ      調整代
【図１】
2010048045.tif 000003
【図２】
2010048045.tif 000004
【図３】
2010048045.tif 000005